【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
シャトル弁（１１２、２００）であって、
内部で第１の長手方向ボアを画定する弁本体（２０２）であって、第１の入口（２０６）、第２の入口（２０８）、及び出口（２１０）を備える、弁本体（２０２）、
前記弁本体（２０２）と同軸の前記第１の長手方向ボア内に配置されたケージ（２１２）であって、内部で第２の長手方向ボアを画定し、前記ケージ（２１２）の外周面と前記弁本体（２０２）の内周面との間に形成された環状エリア（２１８）に前記出口（２１０）が流体結合された、ケージ（２１２）、
前記第１の入口（２０６）に隣接した前記ケージ（２１２）の端に取り付けられ、前記第２の長手方向ボアの範囲内で長手方向に延在する、ピン（３００）、並びに
前記第２の長手方向ボアの範囲内にシフト可能に取り付けられたスプール（２２８）であって、（ｉ）前記第１の入口（２０６）に隣接した第１の位置であって、前記第１の位置において前記スプール（２２８）が前記第１の入口（２０６）を閉鎖している間に、圧縮された流体が前記第２の入口（２０８）から前記環状エリア（２１８）と前記出口（２１０）へ流れることを可能にする、第１の位置と、（ｉｉ）前記第２の入口（２０８）に隣接した第２の位置であって、前記第２の位置において前記スプール（２２８）が前記第２の入口（２０８）を閉鎖している間に、圧縮された流体が前記第１の入口（２０６）から前記環状エリア（２１８）と前記出口（２１０）へ流れることを可能にする、第２の位置と、の間でシフトするために前記第２の長手方向ボアの内部で軸方向に移動するように構成され、前記スプール（２２８）が前記第２の位置から前記第１の位置へシフトする際に、前記ピンの一部分が前記スプール（２２８）の端に形成された止り穴（３０４）の範囲内に受容されるように、前記スプール（２２８）が前記止り穴（３０４）を含み、前記止り穴（３０４）が前記ピン（３００）に対面し前記ピン（３００）と同軸である、スプール（２２８）を備える、シャトル弁（１１２、２００）。
【請求項２】
シャトル弁（１１２、２００）であって、
内部で第１の長手方向ボアを画定する弁本体（２０２）であって、第１の入口（２０６）、第２の入口（２０８）、及び出口（２１０）を備える、弁本体（２０２）、
前記弁本体（２０２）と同軸の前記第１の長手方向ボア内に配置されたケージ（２１２）であって、内部で第２の長手方向ボアを画定し、前記ケージ（２１２）の外周面と前記弁本体（２０２）の内周面との間に形成された環状エリア（２１８）に前記出口（２１０）が流体結合された、ケージ（２１２）、
前記第１の入口（２０６）に隣接した前記ケージ（２１２）の第１の端に取り付けられ、前記第２の長手方向ボアの範囲内で長手方向に延在する、第１のピン（３００）、
前記第２の入口（２０８）に隣接した前記ケージ（２１２）の第２の端に取り付けられ、前記第２の長手方向ボアの範囲内で長手方向に延在する、第２のピン（３０２）、並びに
前記第２の長手方向ボアの範囲内にシフト可能に取り付けられたスプール（２２８）であって、（ｉ）前記第１の入口（２０６）に隣接した第１の位置であって、前記第１の位置において前記スプール（２２８）が前記第１の入口（２０６）を閉鎖している間に、圧縮された流体が前記第２の入口（２０８）から前記出口（２１０）へ流れることを可能にする、第１の位置と、（ｉｉ）前記第２の入口（２０８）に隣接した第２の位置であって、前記第２の位置において前記スプール（２２８）が前記第２の入口（２０８）を閉鎖している間に、圧縮された流体が前記第１の入口（２０６）から前記出口（２１０）へ流れることを可能にする、第２の位置と、の間でシフトするために前記第２の長手方向ボアの内部で軸方向に移動するように構成され、前記スプール（２２８）が前記第２の位置から前記第１の位置へシフトする際に、前記第１のピン（３００）の一部分が前記スプール（２２８）の第１の端に形成された第１の止り穴（３０４）の範囲内に受容されるように、前記スプール（２２８）が前記第１の止り穴（３０４）を含み、前記第１の止り穴（３０４）が前記第１のピン（３００）に対面し前記第１のピン（３００）と同軸であり、前記スプール（２２８）が前記第２の位置から前記第１の位置へシフトする際に、前記第２のピン（３０２）の一部分が前記スプール（２２８）の第２の端に形成された第２の止り穴（３０６）の範囲内に受容されるように、前記スプール（２２８）が前記第２の止り穴（３０６）を含み、前記第２の止り穴（３０６）が前記第２のピン（３０２）に対面し前記第２のピン（３０２）と同軸である、スプール（２２８）を備える、シャトル弁（１１２、２００）。
【請求項３】
前記第２の入口（２０８）が、前記第１の入口（２０６）と同軸であり、前記第１の入口（２０６）の反対側に取り付けられ、前記出口（２１０）が、前記第１の入口（２０６）と前記第２の入口（２０８）を横切る方向に配置されている、請求項１又は２に記載のシャトル弁（１１２、２００）。
【請求項４】
端キャップ（２１４）であって、前記端キャップ（２１４）と同軸の前記ケージ（２１２）の前記端に取り付けられ、前記第２の長手方向ボア内で延在する、端キャップ（２１４）を更に備え、前記ピン（３００）が前記端キャップ（２１４）に連結され、前記スプール（２２８）が、前記第１の位置へシフトしたときに前記端キャップ（２１４）上に乗る、請求項１から３のいずれか一項に記載のシャトル弁（１１２、２００）。
【請求項５】
リテーナ（２０４）であって、前記端キャップ（２１４）が前記ケージ（２１２）の前記端と前記リテーナ（２０４）との間に保持されるように、前記弁本体（２０２）の前記第１の長手方向ボア内に取り付けられ且つ前記ケージ（２１２）の前記端と接触するように固定された、リテーナ（２０４）を更に備え、前記第１の入口（２０６）の中へ延在するインレットが前記リテーナ（２０４）内に形成されている、請求項４に記載のシャトル弁（１１２、２００）。
【請求項６】
第１の端キャップ（２１４）であって、前記第１の端キャップ（２１４）と同軸の前記ケージ（２１２）の前記第１の端に取り付けられ、前記第２の長手方向ボア内で延在する、第１の端キャップ（２１４）を更に備え、前記第１のピン（３００）が前記第１の端キャップ（２１４）に連結され、前記スプール（２２８）が、前記第１の位置へシフトしたときに前記第１の端キャップ（２１４）上に乗り、
前記シャトル弁（１１２、２００）が、更に、
第２の端キャップ（２１６）であって、前記第２の端キャップ（２１６）と同軸の前記ケージ（２１２）の前記第２の端に取り付けられ、前記第２の長手方向ボア内で延在する、第２の端キャップ（２１６）を備え、前記第２のピン（３０２）が前記第２の端キャップ（２１６）に連結され、前記スプール（２２８）が、前記第２の位置へシフトしたときに前記第２の端キャップ（２１６）上に乗る、請求項１から３のいずれか一項に記載のシャトル弁（１１２、２００）。
【請求項７】
リテーナ（２０４）であって、前記第１の端キャップ（２１４）が前記ケージ（２１２）の前記第１の端と前記リテーナ（２０４）との間に保持されるように、前記弁本体（２０２）の前記第１の長手方向ボア内に取り付けられ且つ前記ケージ（２１２）の前記第１の端と接触するように固定された、リテーナ（２０４）を更に備え、前記第１の入口（２０６）の中へ延在するインレットが前記リテーナ（２０４）内に形成されている、請求項６に記載のシャトル弁（１１２、２００）。
【請求項８】
前記ケージ（２１２）の内周面内に配置された溝（２３０）内にそれぞれのバネを介して備え付けられた１以上のボール（２３２）を更に備え、前記スプール（２２８）が、前記スプール（２２８）が前記第１の位置又は前記第２の位置へシフトしたときに前記１以上のボール（２３２）と相互作用して前記スプール（２２８）を前記第１の位置又は前記第２の位置に保持する、円周突起部（２３４）を含む、請求項１から７のいずれか一項に記載のシャトル弁（１１２、２００）。
【請求項９】
シャトル弁を減衰させるための方法（８００）であって、
ケージによって画定された長手方向ボアの範囲内でピンが延在するように、前記シャトル弁の第１の入口に隣接した前記ケージの端において前記ケージによって画定された前記長手方向ボアの範囲内に前記ピンを取り付けること（８０２）を含み、前記シャトル弁が、
内部で関連する長手方向ボアを画定する弁本体であって、第１の入口、第２の入口、及び出口を備え、前記ケージが、前記弁本体と同軸の前記関連する長手方向ボア内に配置された、弁本体、並びに
前記長手方向ボアの範囲内にシフト可能に取り付けられたスプールであって、（ｉ）前記第１の入口に隣接した第１の位置であって、前記第１の位置において前記スプールが前記第１の入口を閉鎖している間に、圧縮された流体が前記第２の入口から前記出口へ流れることを可能にする、第１の位置と、（ｉｉ）前記第２の入口に隣接した第２の位置であって、前記第２の位置において前記スプールが前記第２の入口を閉鎖している間に、圧縮された流体が前記第１の入口から前記出口へ流れることを可能にする、第２の位置と、の間でシフトするために前記長手方向ボアの内部で軸方向に移動するように構成された、スプールを備え、
前記方法が、更に、
前記スプールが前記第２の位置から前記第１の位置へシフトする際に、前記ピンの一部分が前記スプールの止り穴の範囲内に受容されるように、前記スプールの端に前記止り穴を形成すること（８０８）であって、前記止り穴が前記ピンに対面し前記ピンと同軸である、形成すること（８０８）を含む、方法（８００）。
【請求項１０】
前記ピンが第１のピンであり、前記止り穴が第１の止り穴であり、前記ケージの前記端が前記ケージの第１の端であり、前記スプールの前記端が前記スプールの第１の端であり、前記方法（８００）が、更に、
前記ケージの前記第１の端とは反対側であり且つ前記第２の入口に隣接する前記ケージの第２の端において前記ケージの前記長手方向ボアの範囲内で長手方向に延在する第２のピンを取り付けること（８１０）、及び
前記スプールが前記第１の位置から前記第２の位置へシフトする際に、前記第２のピンの一部分が前記スプールの第２の止り穴の範囲内に受容されるように、前記スプールの前記第１の端とは反対側の第２の端に前記第２の止り穴を形成すること（８１２）であって、前記第２の止り穴が前記第２のピンに対面し前記第２のピンと同軸である、形成すること（８１２）を含む、請求項９に記載の方法（８００）。
【請求項１１】
前記ピンを取り付けることが、
前記長手方向ボア内で延在する端キャップを前記端キャップと同軸の前記ケージの前記端に取り付けること（８０４）を含み、前記ピンが前記端キャップに連結されている、請求項１０に記載の方法（８００）。
【請求項１２】
リテーナを前記ケージの前記端に押し付けるように前記弁本体の前記関連する長手方向ボア内に取り付けること（８０６）であって、前記端キャップが前記ケージの前記端と前記リテーナとの間に保持されるように、取り付けること（８０６）を更に含む、請求項１１に記載の方法（８００）。
【請求項１３】
前記ケージの内周面内に溝を形成すること（８１４）、及び
１以上のボールをそれぞれのバネを介して前記溝内に備え付けること（８１６）を更に含み、前記スプールが、前記スプールが前記第１の位置又は前記第２の位置へシフトしたときに前記１以上のボールと相互作用して前記スプールを前記第１の位置又は前記第２の位置に保持する、円周突起部を含む、請求項９から１２のいずれか一項に記載の方法（８００）。